(57)【要約】【課題】任意の雰囲気を作り出すことができるように、発光色を適宜変更することができる電球型蛍光灯を提供する。【解決手段】電球型蛍光灯１０は、複数の蛍光灯４、５と、ソケットに差し込む口金１と、口金１を介して電源から供給される電力を用いて、複数の蛍光灯４、５を点灯制御する点灯制御回路１４〜１６と、を備える。複数の蛍光灯４、５は、発光色の互いに異なる蛍光灯を含み、点灯制御回路１４〜１６は、蛍光灯４、５に供給する電力を個別に制御する。【選択図】図１
2010073462.tif 000002
【特許請求の範囲】
【請求項１】
複数の蛍光灯と、
ソケットに差し込む口金と、
前記口金を介して電源から供給される電力を用いて、前記複数の蛍光灯を点灯制御する点灯制御手段と、を備える電球型蛍光灯において、
前記複数の蛍光灯は、発光色の互いに異なる蛍光灯を含み、
前記点灯制御手段は、蛍光灯に供給する電力を個別に制御する、ことを特徴とする電球型蛍光灯。
【請求項２】
前記点灯制御手段は、前記複数の蛍光灯に供給する電力の総和を一定値に維持しつつ、前記複数の蛍光灯それぞれに供給する電力を個別に制御する、ことを特徴とする請求項１に記載の電球型蛍光灯。
【請求項３】
前記点灯制御手段は、点灯色を指定する色指定手段と、前記色指定手段が指定した点灯色が、複数の前記蛍光灯の発光色の混色により得られるように、前記複数の蛍光灯それぞれに供給する電力を制御する、ことを特徴とする請求項１又は２に記載の電球型蛍光灯。
【請求項４】
前記点灯制御手段は、前記色指定手段が指定した点灯色が、前記複数の蛍光灯それぞれの発光色の混色により得られるように、前記複数の蛍光灯それぞれに供給する電力の比を求める手段を備え、求めた比で前記複数の蛍光灯に供給する電力を制御する、ことを特徴とする請求項３に記載の電球型蛍光灯。
【請求項５】
前記色指定手段は、ユーザにより操作される操作部と、ユーザによる前記操作部の操作に従って点灯色を指定する手段と、を備える、ことを特徴とする請求項３又は４に記載の電球型蛍光灯。
【請求項６】
前記色指定手段は、センサと、前記センサの測定結果に応答して、色を指定する手段とを備える、ことを特徴とする請求項３乃至５のいずれか１項に記載の電球型蛍光灯。
【請求項７】
前記色指定手段は、
タイマ、温度計、湿度計、照度計、音量計の少なくとも１つを含む前記センサと、
前記センサの１つ若しくは複数の測定結果に応答して、色を指定する手段とを備える、ことを特徴とする請求項６に記載の電球型蛍光灯。
【請求項８】
前記色指定手段は、外部装置より発光色を指定する色指定データを受信し、受信した色指定データに従って、該発光色を指定する手段とを備える、ことを特徴とする請求項３又は４に記載の電球型蛍光灯。
【請求項９】
前記点灯制御手段は、前記各蛍光灯に供給する電力を指定する情報を受信する受信手段を備える、ことを特徴とする請求項１乃至４のいずれか１項に記載の電球型蛍光灯。
【請求項１０】
電球型蛍光灯は、さらに、前記各蛍光灯に供給する電力を指定する情報を生成して、前記受信手段に送信するリモコンを備える、ことを特徴とする請求項９に記載の電球型蛍光灯。
【請求項１１】
前記複数の蛍光灯は、暖色系の色を発光する蛍光灯と、寒色系の色を発光する蛍光灯とを備える、ことを特徴とする請求項１乃至１０のいずれか１項に記載の電球型蛍光灯。
【請求項１２】
前記電球型蛍光灯は、
前記複数の蛍光灯を覆い、入射光を拡散するグローブを備える、ことを特徴とする請求項１乃至１１のいずれか１項に記載の電球型蛍光灯。
【発明の詳細な説明】
【技術分野】
【０００１】
本発明は、発光色が異なる複数の蛍光灯を備える電球型蛍光灯に関する。
【背景技術】
【０００２】
電球形蛍光灯は、白熱電球用ソケットに直接装着して使用できる蛍光灯であり、白熱電球用口金を備えて白熱電球器具で使用できる形状に構成されている。電球型蛍光灯は、白熱電球に比べて長寿命、低発熱、省電力（同等の照度を得るための消費電力が、白熱電球比約２０％〜２５％）の特徴がある。地球温暖化の防止・省エネルギーの観点から、電力消費が多く短寿命という欠点を持つ白熱電球から電球型蛍光灯への切り替えが国際的に広がっている。
【０００３】
複数の蛍光灯を備える電球型蛍光灯が特許文献１乃至３に開示されている。これら、複数の電球型蛍光灯は、同じ色を発光する電灯を備えており、調光点灯や省エネルギーのために点灯状態を変更する。
【０００４】
【特許文献１】特開２００３−１００４９５号公報
【特許文献２】特開２００４−１０３３１５号公報
【特許文献３】特開２００７−５０３０８７号公報
【発明の開示】
【発明が解決しようとする課題】
【０００５】
しかしながら、同じ色を発光する複数の電灯を備える電球型蛍光灯では、蛍光灯特有の特定波長の光を照射できるのみで、照明による演出効果が乏しく、光による所望の雰囲気を作り出すことができない。
【０００６】
本発明は、上述した事情に鑑みてなされたものであり、光による任意の雰囲気を作り出すことができる電球型蛍光灯を提供することを目的とする。
また、本発明は、発光色を適宜変更することができる電球型蛍光灯を提供することを他の目的とする。
【課題を解決するための手段】
【０００７】
本発明の観点に係る電球型蛍光灯は、
複数の蛍光灯と、
ソケットに差し込む口金と、
前記口金を介して電源から供給される電力を用いて、前記複数の蛍光灯を点灯制御する点灯制御手段と、を備える電球型蛍光灯において、
前記複数の蛍光灯は、発光色の互いに異なる蛍光灯を含み、
前記点灯制御手段は、蛍光灯に供給する電力を個別に制御する、ことを特徴とする。
【発明の効果】
【０００８】
本発明の電球型蛍光灯によれば、発光色の互いに異なる複数の蛍光灯に供給する電力を制御できるので、混色により複数の色を発光させることが可能となり、設置している場所や状況に相応しい雰囲気を作り出すこともできる。
【発明を実施するための最良の形態】
【０００９】
以下、この発明の実施の形態に係る電球型蛍光灯について、図面を参照しながら説明する。
【００１０】
（第１の実施形態）
本実施の形態に係る電球型蛍光灯１０は、図１に示すように、口金１と、本体２と、蛍光灯４、５とを備える。
【００１１】
口金１は、電球を取り付けるためのソケットに装着され、本体２を商用電源等に接続する。
【００１２】
本体２は、口金１を介して供給される電力を高周波の電力に変換して、蛍光灯４、５に供給する。本体２は、フィルタ回路１１と、整流回路１２と、平滑回路１３と、インバータ回路１４、１５とを備える。
【００１３】
フィルタ回路１１は、口金１を介して印加される交流電圧に含まれているノイズ成分を減衰ずる。
【００１４】
整流回路１２は、交流電圧を脈流に変換し、平滑回路１３へ伝える。
【００１５】
平滑回路１３は、整流回路１２で整流された脈流を平滑化して、インバータ回路１４、１５に印加する。
【００１６】
インバータ回路１４、１５は、それぞれ、平滑回路１３からの直流電圧を高周波電圧に変換し、蛍光灯４、５に印加することにより、これらを点灯させる。
【００１７】
制御回路１６は、インバータ回路１４、１５が蛍光灯４、５に供給する電力を制御する。
【００１８】
次に、制御回路１６の詳細を説明する。
制御回路１６は、図２に示すように、マイクロプロセッサ１６１と、ステータスメモリ１６２と、シーケンスメモリ１６３と、電力検出部１６４とを備える。
【００１９】
電力検出部１６４は、整流回路１２の出力電圧に基づき、電力供給の有無や、電力供給停止から再供給までの時間が所定時間以内（例えば、０．２秒から３秒）か否かを判断し、検出信号をマイクロプロセッサ１６１に出力する。
ステータスメモリ１６２は、蛍光灯４、５の点灯状態を示すステータス情報を記憶する。シーケンスメモリ１６３は、蛍光灯４、５をどのような手順で点灯・消灯するかを示すシーケンスを記憶する。本実施形態では、蛍光灯４、５を、消灯→全点灯（蛍光灯４、５を共に点灯）→調光点灯１（蛍光灯４を点灯、蛍光灯５を消灯）→調光点灯２（蛍光灯４を消灯、蛍光灯５を点灯）→消灯→全点灯→・・・と遷移させるシーケンスが記憶されているものとする。
【００２０】
マイクロプロセッサ１６１は、電力検出部１６４からの検出信号に応答して、ステータスメモリ１６２に格納されている現在の点灯状態を、シーケンスメモリ１６３に格納されている点灯シーケンスに従って、更新する。具体的には、マイクロプロセッサ１６１は、検出信号が電力供給停止から再供給までの時間が所定時間以内であることを示している場合には、ステータスメモリ１６２に格納されているステータスを、シーケンスメモリ１６３に格納されている全点灯→調光点灯１→調光点灯２→消灯→全点灯→・・・という順番に従って、１つだけ遷移させる。一方、マイクロプロセッサ１６１は、検出信号が電力供給停止から再供給までの時間が所定時間以上であることを示している場合には、ステータスメモリ１６２に格納されているステータスを初期状態である全点灯を示すステータスに更新する。
【００２１】
図１に示す、蛍光灯４、５は、発光色の異なる蛍光灯、例えば、蛍光灯４は青、蛍光灯５は赤紫の光を発光する蛍光灯から構成される。この場合、蛍光灯４のみが点灯し、青の色を発光すると、涼しげでさわやかな雰囲気を演出でき、蛍光灯５のみが点灯し、赤紫の色を発光すると、情熱的で個性的雰囲気を演出できる。蛍光灯４、５の両方が点灯し発光する色が混ざり紫の色を発光すると、高貴で個性的な雰囲気を演出する。
【００２２】
グローブ３は、図３Ａ乃至図３Ｃに示すように、蛍光灯４、５を覆い、蛍光灯４、５が発光する光を拡散する。
【００２３】
上記構成の電球型蛍光灯１０の動作を説明する。
口金１がソケットに装着され、外部スイッチがオンされると、商用電源が本体２に供給される。
【００２４】
制御部１６の電力検出部１６４は、電力供給停止から再開までの時間が所定時間内か否かを判別し、判別信号をマイクロプロセッサ１６１に供給する。
マイクロプロセッサ１６１は、電力検出部１６４からの判別信号に応答して、電力供給停止から再開までの時間が所定時間内の場合には、ステータスメモリ１６２に記憶されているステータスをシーケンスメモリ１６３に記憶されているシーケンスに従って、次のステータス（例えば、直前のステータスが全点灯ならば、調光点灯１、直前のステータスが調光点灯２ならば、消灯）に更新し、所定時間以上の場合には、ステータスメモリ１６２に記憶されているステータスを初期値（全点灯）に更新する。
【００２５】
マイクロプロセッサ１６１は、ステータスメモリ１６２に格納されているステータスに従って、インバータ回路１４、１５を制御し、蛍光灯４、５に電力を供給させる。例えば、ステータスが「全点灯」ならば、インバータ回路１４、１５を起動し、蛍光灯４、５に電力を供給させ、蛍光灯４、５を共に点灯させる。また、ステータスが「調光点灯１」ならば、インバータ回路１４を起動し、蛍光灯４に電力を供給させ、蛍光灯４を点灯させる。また、ステータスが「調光点灯２」ならば、インバータ回路１５を起動し、蛍光灯５に電力を供給させ、蛍光灯５を点灯させる。例えば、ステータスが「消灯」ならば、インバータ回路１４、１５を停止させ、蛍光灯４、５を共に消灯させる。
【００２６】
調光点灯１で、蛍光灯４が点灯して青の色を発光すると、涼しげでさわやかな雰囲気が演出され、調光点灯２で、蛍光灯５が点灯して、赤紫の色を発光すると、情熱的で個性的雰囲気が演出され、全点灯で、蛍光灯４、５の両方が点灯すると、発光する色が混ざり、紫の色を発光すると、高貴で個性的な雰囲気が演出される。
【００２７】
以上説明したように、電球型蛍光灯１０は、異なる色を発光する蛍光灯４、５と、蛍光灯４、５の点灯状態を制御することで、多様な色を点灯することができる。従って、電球型蛍光灯１０を設置している場所や状況に応じた色で点灯することで、その場所や状況に相応しい雰囲気を作り出すことができる。
【００２８】
なお、全点灯と、調光点灯１、調光点灯２での照明の明るさを等しくするため、全点灯では、インバータ回路１４、１５の出力を定格の５０％とし、調光点灯１では、インバータ回路１４の出力を定格の１００％とし、調光点灯２では、インバータ回路１５の出力を定格の１００％とするように調整してもよい。
【００２９】
なお、上記説明で制御回路１６で行う制御を全点灯、調光点灯１（蛍光灯４のみ点灯）、調光点灯２（蛍光灯５のみ点灯）、消灯の４つの例を示したが、点灯状態は任意である。例えば、調光点灯３（蛍光灯４の２０％点灯、蛍光灯５の８０％点灯）、調光点灯４（蛍光灯４の５０％点灯、蛍光灯５の５０％点灯）を遷移する点灯状態の一状態とする等、任意に設定できる。なお、５０％点灯や８０％点灯とは、通常の点灯した場合の明るさを１００％とした場合に対する明るさの比率である。
【００３０】
（第２の実施形態）
第１の実施形態においては、蛍光灯４、５の両方が発光している（紫色）場合に電力消費量が多く、電球型蛍光灯１０が一番明るくなり、蛍光灯４、５の一方が発光している（青色又は赤紫色）場合は、電力消費量が半分になり、それに伴って暗くなる。そこで、点灯色ごとの明るさを一定にするために、制御回路１６は、蛍光灯４、５が消費する電力の総和が一定になるように制御してもよい。
【００３１】
この場合に、図２に示す、制御回路１６のシーケンスメモリ１６３には、例えば、蛍光灯４、５を、消灯→二灯点灯（蛍光灯４、５を共に５０％点灯）→調光点灯１（蛍光灯４を７０％点灯、蛍光灯５を３０％点灯）→調光点灯２（蛍光灯４を点灯、蛍光灯５を消灯）→調光点灯３（蛍光灯４を３０％点灯、蛍光灯５を７０％点灯）→調光点灯４（蛍光灯４を消灯、蛍光灯５を点灯）→消灯→全点灯→・・・と遷移させるシーケンスが記憶される。
【００３２】
マイクロプロセッサ１６１は、第１の実施形態と同様に、電力検出部１６４から供給された検出信号に応答して、ステータスメモリ１６２に格納されているステータス情報を更新し、更新したステータス情報が指示する点灯状態となるように、インバータ回路１４、１５を制御する。
【００３３】
この構成によれば、複数の蛍光灯に供給する電力の総和が等しくなるように制御することによって、電球型蛍光灯１０の点灯色が異なっても、一定の明るさで点灯するように制御できる。
【００３４】
また、人間の色に対する感度を考慮し、ステータスに応じて、インバータ回路１４、１５の出力を調整し、ステータスの変化にかかわらず、利用者（人間）が感じる明るさが一定になるようにしてもよい。
【００３５】
（第３の実施形態）
上記の実施形態において、利用者は、電球型蛍光灯１０への電力供給を制御するスイッチを操作することによって、点灯状態を制御したが、例えば操作部等を設けて、点灯する色を制御できるようにしてもよい。
【００３６】
第３の実施形態に係る電球型蛍光灯１０は、図４に示すように、実施の形態の本体２に、操作部３１を備える。また、制御回路１６は、図５に示すように、色・電力比対応テーブル１６５を追加して備える。
【００３７】
操作部３１は、例えば、本体２に設けられた操作用の摘みや、ボタン、スイッチ等から構成され、電球型蛍光灯１０が点灯する色を指定したり、各蛍光灯に供給する電力量を指定する。
【００３８】
色・電力比対応テーブル１６５は、指定された電球型蛍光灯１０の点灯色を得るために、混色する複数の蛍光灯に供給する電力量及び／又は比率を情報として保存するテーブルである。マイクロプロセッサ１６１からの点灯色の制御信号を受信すると、その点灯色に対応する各蛍光灯を発光する電力量及び／又は比率の情報を応答する。
【００３９】
例えば、操作部３１で色を指定する方式の場合、操作部３１は、青色（蛍光灯４を点灯、蛍光灯５を消灯）、中間色１（蛍光灯４を７０％点灯、蛍光灯５を３０％点灯）、紫色（蛍光灯４、５を共に５０％点灯）、中間色２（蛍光灯４を３０％点灯、蛍光灯５を７０％点灯）、赤紫色（蛍光灯４を消灯、蛍光灯５を点灯）の５段階を選択するスイッチを有し、色・電力比対応テーブル１６５は、スイッチに対応する情報を有する。電力の供給を受けると、操作部３１は、指定した色の制御信号を制御回路１６のマイクロプロセッサ１６１に出力する。
【００４０】
マイクロプロセッサ１６１は操作部３１から入力された点灯色の制御信号を色・電力比対応テーブル１６５に出力し、その応答として、指定色で電球型蛍光灯１０を点灯するための蛍光灯４、５を発光する電力量及び／又は比率の情報を受ける。マイクロプロセッサ１６１は、応答情報を基に、インバータ回路１４、１５を制御し、蛍光灯４、５を点灯させる。
【００４１】
例えばまた、操作部３１で各蛍光灯に供給する電力量を指定する方式の場合、操作部３１は蛍光灯４の点灯状態を制御するスイッチ（１００％、７０％、５０％、３０％、０％点灯）と、蛍光灯５の点灯状態を制御するスイッチ（１００％、７０％、５０％、３０％、０％点灯）とを備え、電力の供給を受けると、各蛍光灯の点灯状態の制御信号を制御回路１６のマイクロプロセッサ１６１に出力する。
【００４２】
マイクロプロセッサ１６１は操作部３１から入力された制御信号に基づいて、インバータ回路１４、１５を制御し、蛍光灯４、５をそれぞれの電力量及び／又は比率で点灯させる。
【００４３】
なお、操作部３１で指定した色又は各蛍光灯の電力量及び／又は比率を１つの点灯状態とし、シーケンスメモリ１６３が保存する遷移状態の１つとして割り当ててもよい。
【００４４】
ユーザが操作部３１の操作によって、点灯色を指定できる場合、細やかな設定を必要としないで、電球型蛍光灯１０を好みの色で点灯させることができる。また、ユーザが操作部３１の操作によって、各蛍光灯４、５に供給する電力量及び／又は比率等を指定できる場合、細かい段階の組合せで好みの混色を選択し、点灯させることができる。
【００４５】
（第４の実施形態）
上記の実施形態において、利用者は、電球型蛍光灯１０への電力供給を制御するスイッチや操作部３１を操作することによって、点灯状態を制御したが、例えばリモコン装置等で点灯状態を制御できるようにしてもよい。
【００４６】
第４の実施形態に係る電球型蛍光灯１０は、図６に示すように、実施の形態の本体２に、信号受信部１７を追加して備え、本体２とは別にリモコン装置３０を備える。
【００４７】
リモコン装置３０は、ユーザによって操作されるリモコン操作部と、リモコン操作部の操作内容の制御信号を生成する信号生成部と、制御信号を赤外線で本体２の信号受信部１７へ送信する送信部と、を備える。また、リモコン操作部は、ユーザが直接制御する他に、音センサや人感知センサ等に接続され、センサの検出結果に応じた操作内容を信号生成部に伝えてもよい。
【００４８】
信号受信部１７は、図７に示すように、リモコン装置３０から赤外線で送信された制御信号を受信して、電気信号に変換して、制御回路１６のマイクロプロセッサ１６１に出力する。信号受信部１７は、図８に示すように、本体２の蛍光灯４、５が接続される面と同じ面に設置されている。
【００４９】
図７に示す、シーケンスメモリ１６３に格納されている点灯シーケンスは、蛍光灯４、５が発光する色の割合を少しずつ変化させた多数の点灯状態を記憶しておいてもよい。
【００５０】
信号受信部１７が受信する制御信号は、ｉ）シーケンスメモリ１６３に格納されたシーケンスに従った次の点灯状態への遷移を指示するように構成してもよく、或いは、ｉｉ）制御信号の種類を検出し、制御信号の種類に応じた点灯状態への遷移を指示する構成にしてもよく、或いは又、ｉｉｉ）色・電力比対応テーブル１６５に登録された点灯色を指定するように構成してもよく、或いはさらに、ｉｖ）各蛍光灯４、５に供給する電力量及び／又は比率を指定するように構成してもよい。
【００５１】
例えば、信号受信部１７が受信する制御信号は、オーディオ装置が出力する音楽や各種センサが検出する情報によって変化する信号でもよい。オーディオ装置が出力する音楽のリズムに合わせて、電球型蛍光灯１０の点灯状態を変化させて、音楽に合った雰囲気を演出することができる。また、センサが検出する人の動きに応じて、電球型蛍光灯１０の点灯状態を変化させて、人の動作にあった雰囲気を演出することができる。
【００５２】
以上説明したように、リモコン装置や赤外線送信装置が送信する制御信号によって、電球型蛍光灯１０の点灯状態を制御することができる。従って、電球型蛍光灯１０を設置している場所や状況に応じた色で点灯することで、相応しい雰囲気を作り出すことができる。
【００５３】
なお、上述した実施の形態では、信号受信部１７は、赤外線を受信する構成で説明したが、ＰＬＣ（Power Line Communication）、ＰＬＴ（Power Line Telecommuication）等の制御信号を受信して、受信した制御信号を制御回路１６のマイクロプロセッサ１６１に出力する構成にしてもよい。その場合には、信号受信部１７を本体２の内部等に設けてもよい。
【００５４】
（第５の実施形態）
第５の実施形態に係る電球型蛍光灯１０は、図９に示すように、第４の実施の形態に、タイマ１９を追加して備え、２本の蛍光灯４、５は、それぞれ暖色系、寒色系の色を発光する。制御回路１６は、タイマ１９から時間情報を基に蛍光灯４、５の点灯を制御する。
【００５５】
タイマ１９は、時間を計時し、時間情報を制御回路１６のマイクロプロセッサ１６１に出力する。その場合に、単に時刻を出力するだけでなく、月日等の情報を出力してもよい。
【００５６】
蛍光灯４は、昼光色や昼白色等の寒色系の色を発光する蛍光灯で、インバータ回路１４によって、点灯、消灯、調光点灯の状態となる。蛍光灯５は、温白色等の暖色系の色を発光する蛍光灯で、インバータ回路１５によって、点灯、消灯、調光点灯の状態となる。
【００５７】
制御回路１６のマイクロプロセッサ１６１は、タイマ１９からの時間情報を受け取り、時間に対応した色を発光するように、蛍光灯４、５の点灯状態を制御する。マイクロプロセッサ１６１は、日中は、寒色系の蛍光灯４の明るさを強く点灯し、夕方から明け方までの間は、暖色系の蛍光灯５の明るさを強く点灯する。
【００５８】
例えば、太陽が昇ると活動をはじめ、夜になると休息するという人間の生活リズムに合わせて、制御回路１６は、蛍光灯４、５の発光する割合を変えて、電球型蛍光灯１０が発する光の照度と色温度を変化させる。日中に電球型蛍光灯１０を点灯する場合、寒色系の蛍光灯４の明るさを強くし、人を活動的にして、作業や勉強に適した環境を作る。夕方から明け方までの間に電球型蛍光灯１０を点灯する場合、暖色系の蛍光灯５の明るさを強くし、心身をリラックスさせ、やすらぎを演出する。なお、制御回路１６は、使用する月日に対応して蛍光灯４、５の発光する割合を変えてもよい。但し、制御回路１６は、照度と色温度の間に成立するクルーゾフ効果を考慮して、快適感を与える照度と色温度の組合せで発光する色と明るさにする。
【００５９】
特に、一般的な電球型蛍光灯をトイレに設置した場合、夜中に昼白色の明かりを浴びて目が覚めてしまい寝付けなくなり、生活リズムが狂う可能性がある。しかし、電球型蛍光灯１０をトイレに設置した場合、暖色系の色温度の低い光を浴びるので、生活リズムが狂う可能性が低い。
【００６０】
以上説明したように、寒色系の蛍光灯４と暖色系の蛍光灯５とタイマ１９とを備える電球型蛍光灯１０によって、生活リズムにあった色温度の色で点灯することができる。つまり、電球型蛍光灯１０が発する光を太陽光と同じようなタイミングで変化させることで、利用者を太陽光の下で生活している場合と同じような状況・雰囲気にすることができる。太陽光と同じタイミングで変化する光を浴びることで、利用者の時間感覚を正常に保つ効果がある。
【００６１】
なお、上記説明のように、センサとしてタイマ１９を備える場合に限らず、温度計、湿度計、照度計、音量計等のセンサを用いて、１つ若しくは複数のセンサの検出結果によって、点灯状態を制御してもよい。
【００６２】
（温度計）
例えば、第５の実施形態のタイマ１９の代わりとして温度計を備えてもよい。温度計が検出した温度情報に基づいて、制御回路１６は、蛍光灯４、５の発光を制御する。温度が低い時に電球型蛍光灯１０を点灯する場合、寒色系の蛍光灯４の明るさを強くし、温度が高い時に電球型蛍光灯１０を点灯する場合、暖色系の蛍光灯５の明るさを強くすることによって、視覚的に温度を認識させることができ、温度に応じた雰囲気を作り出すことができる。さらに、エアコン等により室内の暖めすぎや冷やしすぎを視覚的に認識することができ、ユーザに省エネを促す効果がある。
【００６３】
また、温度が低い時に電球型蛍光灯１０を点灯する場合、暖色系の蛍光灯５の明るさを強くし、温度が高い時に電球型蛍光灯１０を点灯する場合、寒色系の蛍光灯４の明るさを強くすることによって、視覚的に温度を錯覚させることができる。室内の温度が多少暑い場合や、寒い場合でも、ユーザにエアコンの使用を差し控えさせ、省エネを促す効果がある。
【００６４】
（湿度計）
例えば、第５の実施形態のタイマ１９の代わりとして湿度計を備えてもよい。湿度計が検出した湿度情報に基づいて、制御回路１６は、蛍光灯４、５の発光を制御する。湿度が低い時に電球型蛍光灯１０を点灯する場合、寒色系の蛍光灯４の明るさを強くし、湿度が高い時に電球型蛍光灯１０を点灯する場合、暖色系の蛍光灯５の明るさを強くすることによって、視覚的に湿度を認識させることができる。エアコン等により室内の乾燥のしすぎや湿度の高すぎを視覚的に認識することができ、湿度に応じた雰囲気を作り出すことができる。
【００６５】
また、湿度が低い時に電球型蛍光灯１０を点灯する場合、暖色系の蛍光灯５の明るさを強くし、湿度が高い時に電球型蛍光灯１０を点灯する場合、寒色系の蛍光灯４の明るさを強くすることによって、視覚的に湿度を錯覚させることができる。室内の湿度が多少高い場合や、低い場合でも、ユーザにエアコンの使用を差し控えさせ、省エネを促す効果がある。
【００６６】
（照度計）
例えば、第５の実施形態のタイマ１９の代わりとして照度計を備えてもよい。照度計が検出した照度情報に基づいて、制御回路１６は、蛍光灯４、５の発光を制御する。周囲が明るい時に電球型蛍光灯１０を点灯する場合、寒色系の蛍光灯４の明るさを強くし、周囲が暗い時に電球型蛍光灯１０を点灯する場合、暖色系の蛍光灯５の明るさを強くすることによって、視覚的に周囲の明暗を認識させるとともに、周囲の明るさに応じた雰囲気を作り出すことができる。
【００６７】
（音量計）
例えば、第５の実施形態のタイマ１９の代わりとして音量計を備えてもよい。音量計が検出した音量情報に基づいて、制御回路１６は、蛍光灯４、５の発光を制御する。周囲が静かな時に電球型蛍光灯１０を点灯する場合、寒色系の蛍光灯４の明るさを強くして落ち着いた雰囲気にし、周囲が騒がしい時に電球型蛍光灯１０を点灯する場合、暖色系の蛍光灯５の明るさを強くして活動的な雰囲気にすることによって、音量に応じて電球型蛍光灯１０が点灯する色を変更する。音量に応じて電球型蛍光灯１０の点灯色を変えることにより、電球型蛍光灯１０を設置している場所や状況に相応しい雰囲気を作る出すことができる。また、音の周波数をも測定して、音量と併せて制御するための情報としてもよい。
【００６８】
（センサの組合せ）
例えば、タイマ１９と、温度計や湿度計等とを備える電球型蛍光灯１０では、時間以外に温度や湿度等の検出結果を基にして、明るさや色の点灯状態を変更したり、所定のパターンで明るさや色が変わる点灯にすることができる。例えばまた、照度計と音量計とを備える電球型蛍光灯１０では、部屋の明るさに応じて、音量計の検出結果により点灯する明るさの強度・色を変更してもよい。
【００６９】
各種センサの検出結果や、複数のセンサの検出結果の組み合わせに応じて、電球型蛍光灯１０を制御することにより、電球型蛍光灯１０を設置している場所や状況に相応しい雰囲気を作り出すことができる。
【００７０】
なお、発光する色が異なる２本の蛍光灯を備える電球型蛍光灯１０について説明したが、２本に限らず、３本以上でもよい。その場合は多彩な色で点灯することができる。
【００７１】
その他、前記のハードウエア構成は一例であり、任意に変更及び修正が可能である。
【図面の簡単な説明】
【００７２】
【図１】本発明の第１の実施形態に係る電球型蛍光灯の構成を示すブロック図である。
【図２】第２の実施形態に係る電球型蛍光灯の制御回路の構成を示すブロック図である。
【図３Ａ】電球型蛍光灯の外観を示す側面図である。
【図３Ｂ】電球型蛍光灯の外観を示す別の側面図である。
【図３Ｃ】電球型蛍光灯の外観を蛍光灯を設置している方から見た図である。
【図４】第３の実施形態に係る電球型蛍光灯の構成を示すブロック図である。
【図５】第３の実施形態に係る制御回路の構成を示すブロック図である。
【図６】第４の実施形態に係る電球型蛍光灯の構成を示すブロック図である。
【図７】第４の実施形態に係る制御回路の構成を示すブロック図である。
【図８】第４の実施形態に電球型蛍光灯の外観を示す側面図である。
【図９】第５の実施形態に係る電球型蛍光灯の構成を示すブロック図である。
【符号の説明】
【００７３】
１    口金
２    本体
３    グローブ
４、５    蛍光灯
１０    電球型蛍光灯
１１    フィルタ回路
１２    整流回路
１３    平滑回路
１４、１５    インバータ回路
１６    制御回路
１７    信号受信部
１９    タイマ
３０    リモコン装置
３１    操作部
１６１    マイクロプロセッサ
１６２    ステータスメモリ
１６３    シーケンスメモリ
１６４    電力検出部
１６５    色・電力比対応テーブル
【図１】
2010073462.tif 000003
【図２】
2010073462.tif 000004
【図３Ａ】
2010073462.tif 000005
【図３Ｂ】
2010073462.tif 000006
【図３Ｃ】
2010073462.tif 000007
【図４】
2010073462.tif 000008
【図５】
2010073462.tif 000009
【図６】
2010073462.tif 000010
【図７】
2010073462.tif 000011
【図８】
2010073462.tif 000012
【図９】
2010073462.tif 000013